(57)【要約】【課題】コンテンツの内容を重複させずに複数のユーザに視聴させることが可能なコンテンツ配信システム、コンテンツ再生システム及びコンテンツ配信方法を提供する。【解決手段】複数のユーザが所持する携帯端末３０それぞれから、携帯端末位置情報を順次取得する携帯端末位置情報取得部５３と、携帯端末毎に、順次取得された携帯端末位置情報及び当該携帯端末位置情報の取得日時を示す取得日時情報を対応付けた携帯端末情報を記憶する携帯端末情報記憶部５４と、再生日時情報、再生端末位置情報、及び複数の携帯端末情報に基づいて、複数のユーザのうち再生端末１０が再生しているコンテンツを視聴している１以上のユーザのコンテンツ視聴履歴を生成する生成部５６と、１以上のコンテンツ視聴履歴に基づいて、再生端末１０に再生させる再生対象コンテンツを決定する決定部５７と、再生対象コンテンツを再生端末１０に配信する配信部５８と、を備える。【選択図】図２
2015050486.tif 000002
【特許請求の範囲】
【請求項１】
再生端末に配信して再生させた１以上のコンテンツの再生日時を示す再生日時情報を記憶する再生日時情報記憶部と、
前記再生端末の位置を示す再生端末位置情報を記憶する再生端末位置情報記憶部と、
複数のユーザが所持する携帯端末それぞれから、当該携帯端末の位置を示す携帯端末位置情報を順次取得する携帯端末位置情報取得部と、
前記携帯端末毎に、順次取得された前記携帯端末位置情報及び当該携帯端末位置情報の取得日時を示す取得日時情報を対応付けた携帯端末情報を記憶する携帯端末情報記憶部と、
前記再生日時情報、前記再生端末位置情報、及び前記複数の携帯端末情報に基づいて、前記複数のユーザのうち前記再生端末が再生しているコンテンツを視聴している１以上のユーザのコンテンツ視聴履歴を生成する生成部と、
前記１以上のコンテンツ視聴履歴に基づいて、前記再生端末に再生させる再生対象コンテンツを決定する決定部と、
前記再生対象コンテンツを前記再生端末に配信する配信部と、
を備えるコンテンツ配信システム。
【請求項２】
前記生成部は、前記再生端末位置情報と前記複数の携帯端末情報とを用いて、前記再生端末の位置と前記携帯端末の最新の位置とが所定関係を満たす１以上の携帯端末が存在するか否かを判定し、当該１以上の携帯端末が存在する場合、当該１以上の携帯端末それぞれについて、前記再生端末位置情報と前記携帯端末情報とを用いて、前記再生端末の位置と当該携帯端末の位置とが前記所定関係を満たす日時を特定するとともに、前記再生日時情報を用いて、特定した前記日時に再生されたコンテンツを特定して、当該携帯端末を所持するユーザのコンテンツ視聴履歴を生成する請求項１に記載のコンテンツ配信システム。
【請求項３】
前記生成部は、前記携帯端末位置情報取得部により新たな携帯端末位置情報が取得された場合、又は前記再生端末でのコンテンツの再生が終了した場合に、前記１以上のユーザのコンテンツ視聴履歴を生成する請求項１又は２に記載のコンテンツ配信システム。
【請求項４】
前記決定部は、前記１以上のコンテンツ視聴履歴を用いて、前記１以上のユーザのいずれにも視聴されていないコンテンツを前記再生対象コンテンツに決定する請求項１〜３のいずれか１つに記載のコンテンツ配信システム。
【請求項５】
前記決定部は、前記１以上のユーザのいずれにも視聴されていないコンテンツが存在しない場合、前記１以上のコンテンツ視聴履歴を用いて、前記１以上のユーザのうち視聴したユーザが最も少ないコンテンツを前記再生対象コンテンツに決定する請求項４に記載のコンテンツ配信システム。
【請求項６】
前記決定部は、前記１以上のユーザのいずれにも視聴されていないコンテンツが存在しない場合、前記１以上のコンテンツに予め設定された優先度を用いて、当該優先度が最も高いコンテンツを前記再生対象コンテンツに決定する請求項４に記載のコンテンツ配信システム。
【請求項７】
前記決定部は、前記１以上のコンテンツ視聴履歴を用いて、前記１以上のユーザのいずれにも視聴されていない箇所が存在するコンテンツを前記再生対象コンテンツに決定するとともに、当該箇所を再生対象位置に決定し、
前記配信部は、前記再生対象コンテンツを前記再生対象位置から前記再生端末に再生させるように、当該再生対象コンテンツの前記箇所を前記再生端末に配信する請求項１〜６のいずれか１つに記載のコンテンツ配信システム。
【請求項８】
コンテンツ配信システムと再生端末とを備えるコンテンツ再生システムであって、
前記コンテンツ配信システムは、
前記再生端末に配信して再生させた１以上のコンテンツの再生日時を示す再生日時情報を記憶する再生日時情報記憶部と、
前記再生端末の位置を示す再生端末位置情報を記憶する再生端末位置情報記憶部と、
複数のユーザが所持する携帯端末それぞれから、当該携帯端末の位置を示す携帯端末位置情報を順次取得する携帯端末位置情報取得部と、
前記携帯端末毎に、順次取得された前記携帯端末位置情報及び当該携帯端末位置情報の取得日時を示す取得日時情報を対応付けた携帯端末情報を記憶する携帯端末情報記憶部と、
前記再生日時情報、前記再生端末位置情報、及び前記複数の携帯端末情報に基づいて、前記複数のユーザのうち前記再生端末が再生しているコンテンツを視聴している１以上のユーザのコンテンツ視聴履歴を生成する生成部と、
前記１以上のコンテンツ視聴履歴に基づいて、前記再生端末に再生させる再生対象コンテンツを決定する決定部と、
前記再生対象コンテンツを前記再生端末に配信する配信部と、を備え、
前記再生端末は、
前記コンテンツ配信システムから配信された前記再生対象コンテンツを取得するコンテンツ取得部と、
取得された前記再生対象コンテンツを再生する再生部と、
を備えるコンテンツ再生システム。
【請求項９】
再生端末に配信して再生させた１以上のコンテンツの再生日時を示す再生日時情報を記憶する再生日時情報記憶ステップと、
前記再生端末の位置を示す再生端末位置情報を記憶する再生端末位置情報記憶ステップと、
複数のユーザが所持する携帯端末それぞれから、当該携帯端末の位置を示す携帯端末位置情報を順次取得する携帯端末位置情報取得ステップと、
前記携帯端末毎に、順次取得された前記携帯端末位置情報及び当該携帯端末位置情報の取得日時を示す取得日時情報を対応付けた携帯端末情報を記憶する携帯端末情報記憶ステップと、
前記再生日時情報、前記再生端末位置情報、及び前記複数の携帯端末情報に基づいて、前記複数のユーザのうち前記再生端末が再生しているコンテンツを視聴している１以上のユーザのコンテンツ視聴履歴を生成する生成ステップと、
前記１以上のコンテンツ視聴履歴に基づいて、前記再生端末に再生させる再生対象コンテンツを決定する決定ステップと、
前記再生対象コンテンツを前記再生端末に配信する配信ステップと、
を含むコンテンツ配信方法。
【発明の詳細な説明】
【技術分野】
【０００１】
本発明は、コンテンツ配信システム、コンテンツ再生システム及びコンテンツ配信方法に関する。
【背景技術】
【０００２】
近年、ディスプレイやプロジェクタなどの再生端末に映像や画像などのコンテンツを配信して再生させるデジタルサイネージ（電子看板）システムが普及している。
【０００３】
例えば特許文献１には、サイネージサーバが、表示装置にコンテンツ情報を配信し、コンテンツ情報を途中まで視聴したユーザが所持する携帯端末から位置情報を受信し、受信した位置情報の受信時間に基づいて、コンテンツ情報の続きを携帯端末に配信する技術が開示されている。
【発明の概要】
【発明が解決しようとする課題】
【０００４】
しかしながら、上述したような従来技術では、ユーザが所持する携帯端末がサイネージサーバから配信されるコンテンツの受信及び表示機能を有していなければ、コンテンツの内容を重複させずにユーザに視聴させることができない。
【０００５】
このため、ユーザが再生端末に近づいた場合に、当該ユーザが視聴していないコンテンツを当該再生端末に配信して再生させる技術が考えられるが、当該ユーザ以外の他のユーザにとっては、未視聴のコンテンツの再生にならない場合があり、コンテンツの内容を重複させずに複数のユーザに視聴させることができない。
【０００６】
本発明は、上記事情に鑑みてなされたものであり、コンテンツの内容を重複させずに複数のユーザに視聴させることが可能なコンテンツ配信システム、コンテンツ再生システム及びコンテンツ配信方法を提供することを目的とする。
【課題を解決するための手段】
【０００７】
上述した課題を解決し、目的を達成するために、本発明の一態様にかかるコンテンツ配信システムは、再生端末に配信して再生させた１以上のコンテンツの再生日時を示す再生日時情報を記憶する再生日時情報記憶部と、前記再生端末の位置を示す再生端末位置情報を記憶する再生端末位置情報記憶部と、複数のユーザが所持する携帯端末それぞれから、当該携帯端末の位置を示す携帯端末位置情報を順次取得する携帯端末位置情報取得部と、前記携帯端末毎に、順次取得された前記携帯端末位置情報及び当該携帯端末位置情報の取得日時を示す取得日時情報を対応付けた携帯端末情報を記憶する携帯端末情報記憶部と、前記再生日時情報、前記再生端末位置情報、及び前記複数の携帯端末情報に基づいて、前記複数のユーザのうち前記再生端末が再生しているコンテンツを視聴している１以上のユーザのコンテンツ視聴履歴を生成する生成部と、前記１以上のコンテンツ視聴履歴に基づいて、前記再生端末に再生させる再生対象コンテンツを決定する決定部と、前記再生対象コンテンツを前記再生端末に配信する配信部と、を備える。
【発明の効果】
【０００８】
本発明によれば、コンテンツの内容を重複させずに複数のユーザに視聴させることが可能という効果を奏する。
【図面の簡単な説明】
【０００９】
【図１】図１は、本実施形態のコンテンツ再生システムの構成の一例を示す摸式図である。
【図２】図２は、本実施形態のコンテンツ再生システムの機能構成の一例を示すブロック図である。
【図３】図３は、本実施形態の位置情報の一例を示す図である。
【図４】図４は、本実施形態の再生端末位置情報のフォーマットの一例を示す図である。
【図５】図５は、本実施形態の再生端末情報の一例を示す図である。
【図６】図６は、本実施形態の携帯端末情報の一例を示す図である。
【図７】図７は、本実施形態の再生日時情報の一例を示す図である。
【図８】図８は、本実施形態のコンテンツ視聴履歴生成手法の一例の説明図である。
【図９】図９は、本実施形態のコンテンツ再生システムで実行されるコンテンツ再生処理の一例を示すシーケンス図である。
【図１０】図１０は、本実施形態のコンテンツ配信システムで実行されるコンテンツ視聴履歴生成処理及び再生対象コンテンツ決定処理の一例を示すフローチャート図である。
【図１１】図１１は、変形例１のコンテンツ配信システムで実行されるコンテンツ視聴履歴生成処理及び再生対象コンテンツ決定処理の一例を示すフローチャート図である。
【図１２】図１２は、変形例２のコンテンツ配信システムで実行されるコンテンツ視聴履歴生成処理及び再生対象コンテンツ決定処理の一例を示すフローチャート図である。
【図１３】図１３は、上記実施形態及び各変形例のコンテンツ配信システムのハードウェア構成の一例を示す図である。
【図１４】図１４は、上記実施形態及び各変形例の再生端末のハードウェア構成の一例を示す図である。
【図１５】図１５は、上記実施形態及び各変形例の携帯端末のハードウェア構成の一例を示す図である。
【図１６】図１６は、上記実施形態及び各変形例の通信端末のハードウェア構成の一例を示す図である。
【図１７】図１７は、上記実施形態及び各変形例のゲートウェイのハードウェア構成の一例を示す図である。
【発明を実施するための形態】
【００１０】
以下、添付図面を参照しながら、本発明にかかるコンテンツ配信システム、コンテンツ再生システム及びコンテンツ配信方法の実施形態を詳細に説明する。
【００１１】
図１は、本実施形態のコンテンツ再生システム１の構成の一例を示す摸式図である。図１に示すように、コンテンツ再生システム１は、再生端末１０と、コンテンツ配信システム２０と、携帯端末３０ａ〜３０ｎと、通信端末４０ａ〜４０ｎと、ゲートウェイ５０とを、備える。
【００１２】
通信端末４０ａ〜４０ｎとゲートウェイ５０とは、無線ネットワーク９７で接続され、また通信端末４０ａ〜４０ｎは、それぞれ、携帯端末３０ａ〜３０ｎ又は再生端末１０と無線ネットワーク９７で接続されている。
【００１３】
コンテンツ配信システム２０は、ＬＡＮ（Local  Area  Network）又はインターネットなどのネットワーク９８でゲートウェイ５０と接続され、携帯端末３０ａ〜３０ｎ及び再生端末１０とアクセスポイント９０を介して無線ネットワーク９９で接続されている。
【００１４】
なお、以下の説明では、携帯端末３０ａ〜３０ｎを各々区別する必要がない場合は、単に携帯端末３０と称し、通信端末４０ａ〜４０ｎを各々区別する必要がない場合は、単に通信端末４０と称する場合がある。
【００１５】
通信端末４０は、例えば、部屋の天井等に固定配置され、予め設置された電源から給電されて動作するか、又はＬＥＤ（Light  Emitting  Diode）蛍光管のような照明器具に組み込まれて配置され、当該照明器具から給電されて動作する。
【００１６】
通信端末４０は、自機が保持する位置情報を無線信号により所定範囲に連続的又は断続的に送信する。位置情報を送信する通信方式としては、例えば、地上補完信号ＩＭＥＳ（Indoor  Messaging  System）を用いることができる。所定範囲は、無線信号の電波強度やアンテナの指向性などにより定められる。図１に示す例では、所定範囲は、通信端末４０の下方に示される円錐型の点線の領域となっている。なお、通信端末４０ａ〜４０ｎは、それぞれの所定範囲が互いに重複しないように配置されている。但し、例えば電波強度などに基づいて、いずれか１つの通信端末４０を特定できれば、所定範囲が重複していてもよい。
【００１７】
また通信端末４０は、所定範囲に位置する再生端末１０から送信された再生端末位置情報や所定範囲に位置する携帯端末３０から送信された携帯端末位置情報をゲートウェイ５０に送信する。
【００１８】
再生端末１０は、コンテンツ配信システム２０から配信されたコンテンツを再生する端末であり、例えば、液晶ディスプレイ、有機ＥＬ（Electro-Luminescence）ディスプレイ、及びプロジェクタなどが挙げられる。コンテンツは、静止画であっても動画であっても文字情報であってもよい。
【００１９】
再生端末１０は、所定範囲に位置する通信端末４０から位置情報を受信するとともに、当該位置情報にデバイスＩＤやＭＡＣアドレスなどの自機の端末識別情報を付加して再生端末位置情報を生成し、コンテンツ配信システム２０に送信するため、当該通信端末４０に送信する。再生端末１０は、例えば、位置情報を受信したタイミング、電源投入時、予め定められたタイミング、又は加速度センサを有する場合には加速度の変化が検出されたタイミングで、再生端末位置情報を通信端末４０に送信する。
【００２０】
携帯端末３０は、例えば、スマートフォン、タブレット端末、携帯電話、ノートＰＣ（Personal  Computer）、及びＰＤＡ（Personal  Digital  Assistant）などが挙げられる。なお携帯端末３０ａ〜３０ｎは、それぞれ、ユーザに所持されている。
【００２１】
携帯端末３０は、所定範囲に位置する通信端末４０から位置情報を受信するとともに、当該位置情報にデバイスＩＤやＭＡＣアドレスなどの自機の端末識別情報を付加して携帯端末位置情報を生成し、コンテンツ配信システム２０に送信するため、当該通信端末４０に送信する。携帯端末３０は、例えば、位置情報を受信したタイミング、電源投入時、予め定められたタイミング、又は加速度センサを有する場合には加速度の変化が検出されたタイミングで、携帯端末位置情報を通信端末４０に送信する。
【００２２】
ゲートウェイ５０は、無線ネットワーク９７とネットワーク９８とを相互に接続し、一方のネットワークから送信されたデータを他方のネットワークにブリッジする。
【００２３】
コンテンツ配信システム２０は、再生端末１０に再生させた１以上のコンテンツの再生日時を示す再生日時情報、ゲートウェイ５０から送信された再生端末位置情報及び携帯端末位置情報を管理し、これらの情報に基づいて、再生端末１０に再生させるコンテンツを決定し、配信する。なおコンテンツ配信システム２０は、１台のコンピュータで構成してもよいし、複数台のコンピュータで構成してもよい。
【００２４】
図２は、本実施形態のコンテンツ再生システム１の機能構成の一例を示すブロック図である。
【００２５】
まず、通信端末４０について説明する。図２に示すように、通信端末４０は、位置情報記憶部４１と、位置情報通信部４２とを、備える。
【００２６】
位置情報記憶部４１は、自身の位置を示す位置情報を記憶するものであり、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、又は電気的に記憶可能な記憶装置により実現できる。
【００２７】
図３は、本実施形態の位置情報の一例を示す図である。図３に示す例では、位置情報は、階数、緯度、経度、及び棟番号により構成されているが、これに限定されるものではない。階数は、通信端末４０が設置されている建物の階数を表す。緯度は、通信端末４０の所在する位置の緯度を表す。経度は、通信端末４０の所在する位置の経度を表す。棟番号は、通信端末４０が設置されている建物の棟番号を表す。位置情報は、コンテンツ再生システム１の管理者等によって設定される。なお、より詳細な位置管理を行うため、位置情報により詳細な情報を設定するようにしてもよい。
【００２８】
位置情報通信部４２は、位置情報記憶部４１に記憶されている位置情報を無線信号により所定範囲に連続的又は断続的に送信する。また位置情報通信部４２は、所定範囲に位置する再生端末１０から送信された再生端末位置情報や所定範囲に位置する携帯端末３０から送信された携帯端末位置情報を受信し、ゲートウェイ５０に送信する。位置情報通信部４２は、例えば、ＣＰＵ（Central  Processing  Unit）などの処理装置にプログラムを実行させること、即ち、ソフトウェアにより実現できる。
【００２９】
次に、再生端末１０について説明する。図２に示すように、再生端末１０は、再生端末位置情報通信部１１と、コンテンツ取得部１２と、再生部１３とを、備える。再生端末位置情報通信部１１、コンテンツ取得部１２、及び再生部１３は、例えば、ＣＰＵなどの処理装置にプログラムを実行させること、即ち、ソフトウェアにより実現できる。
【００３０】
再生端末位置情報通信部１１は、所定範囲に位置する通信端末４０から位置情報を受信する。そして再生端末位置情報通信部１１は、受信した位置情報に、図示せぬ記憶部に記憶されているデバイスＩＤやＭＡＣアドレスなどの自機の端末識別情報を当該位置情報に付加して再生端末位置情報を生成し、コンテンツ配信システム２０に送信するため、当該通信端末４０に送信する。
【００３１】
図４は、本実施形態の再生端末位置情報のフォーマットの一例を示す図である。図４に示す例では、再生端末位置情報は、階数、緯度、経度、棟番号、及び端末識別情報により構成され、各フィールドがそれぞれ、９、２１、２１、８、４８ビットで表現されているが、これに限定されるものではない。なお各フィールドで表現されるデータ形式は、例えば、ＩＭＥＳ規格に準ずる形式とすることができる。
【００３２】
なお、コンテンツ取得部１２及び再生部１３については、後述する。
【００３３】
次に、携帯端末３０について説明する。図２に示すように、携帯端末３０は、携帯端末位置情報通信部３１を備える。
【００３４】
携帯端末位置情報通信部３１は、所定範囲に位置する通信端末４０から位置情報を受信する。そして携帯端末位置情報通信部３１は、受信した位置情報に、図示せぬ記憶部に記憶されているデバイスＩＤやＭＡＣアドレスなどの自機の端末識別情報を当該位置情報に付加して携帯端末位置情報を生成し、コンテンツ配信システム２０に送信するため、当該通信端末４０に送信する。なお携帯端末位置情報のフォーマットは、図４に示す再生端末位置情報のフォーマットと同様であるため、説明を省略する。携帯端末位置情報通信部３１は、例えば、ＣＰＵなどの処理装置にプログラムを実行させること、即ち、ソフトウェアにより実現できる。
【００３５】
次に、コンテンツ配信システム２０について説明する。図２に示すように、コンテンツ配信システム２０は、再生端末位置情報取得部５１と、再生端末情報記憶部５２（再生端末位置情報記憶部の一例）と、携帯端末位置情報取得部５３と、携帯端末情報記憶部５４と、再生日時情報記憶部５５と、生成部５６と、決定部５７と、配信部５８とを、備える。
【００３６】
再生端末位置情報取得部５１、携帯端末位置情報取得部５３、生成部５６、決定部５７、及び配信部５８は、例えば、ＣＰＵ（Central  Processing  Unit）などの処理装置にプログラムを実行させること、即ち、ソフトウェアにより実現できる。
【００３７】
再生端末情報記憶部５２、携帯端末情報記憶部５４、及び再生日時情報記憶部５５は、例えば、ＨＤＤ、ＳＳＤ、メモリカード、光ディスク、ＲＯＭ、及びＲＡＭなどの磁気的、光学的、又は電気的に記憶可能な記憶装置により実現できる。
【００３８】
再生端末位置情報取得部５１は、再生端末１０から、通信装置４０及びゲートウェイ５０経由で再生端末位置情報を取得し、取得した再生端末位置情報に当該再生端末位置情報の取得日時を示す取得日時情報を対応付けた再生端末情報を再生端末情報記憶部５２に記憶する。本実施形態では、再生端末位置情報取得部５１は、再生端末１０の電源起動時に再生端末位置情報を取得するものとするが、これに限定されるものではない。
【００３９】
図５は、本実施形態の再生端末情報の一例を示す図である。図５に示す例では、再生端末情報は、端末識別情報、階数、緯度、経度、棟番号、受信日時、及び端末種別情報を対応付けた情報となっている。なお端末種別情報は、再生端末か携帯端末かを示す情報であるが、省略してもよい。
【００４０】
携帯端末位置情報取得部５３は、複数のユーザが所持する携帯端末３０それぞれから当該携帯端末３０の位置を示す携帯端末位置情報を順次取得する。本実施形態では、携帯端末位置情報取得部５３は、予め定められたタイミングで携帯端末位置情報を順次取得するものとするが、これに限定されるものではない。そして携帯端末位置情報取得部５３は、携帯端末３０毎に、順次取得した携帯端末位置情報に当該携帯端末位置情報の取得日時を示す取得日時情報を対応付けた携帯端末情報を携帯端末情報記憶部５４に記憶する。
【００４１】
図６は、本実施形態の携帯端末情報の一例を示す図である。図６に示す例では、携帯端末情報は、端末識別情報、階数、緯度、経度、棟番号、受信日時、及び端末種別情報を対応付けた情報となっている。なお端末種別情報は、再生端末か携帯端末かを示す情報であるが、省略してもよい。
【００４２】
再生日時情報記憶部５５は、再生端末１０に配信して再生させた１以上のコンテンツの再生日時を示す再生日時情報を記憶する。具体的には、後述の決定部５７が再生端末１０に再生させると決定したコンテンツ及びその再生日時を記憶する。
【００４３】
図７は、本実施形態の再生日時情報の一例を示す図である。図７に示す例では、再生日時情報は、端末識別情報、再生日時、コンテンツ種別、及びコンテンツの再生開始位置を対応付けた情報となっている。再生開始位置は、コンテンツの再生をどの位置から開始したかを示し、例えば、「００：００：００」であれば、コンテンツをスタート位置から再生したことを示し、「００：０５：００」であれば、コンテンツをスタートから５分経過した位置から再生したことを示す。
【００４４】
生成部５６は、再生日時情報、再生端末位置情報、及び複数の携帯端末情報に基づいて、複数のユーザのうち再生端末１０が再生しているコンテンツを視聴している１以上のユーザのコンテンツ視聴履歴を生成する。
【００４５】
具体的には、生成部５６は、再生端末位置情報と複数の携帯端末情報とを用いて、再生端末１０の位置と携帯端末３０の最新の位置とが所定関係を満たす１以上の携帯端末３０が存在するか否かを判定する。本実施形態では、所定関係は、再生端末１０の位置と携帯端末３０の最新の位置とが一致することであるが、これに限定されず、再生端末１０の位置と携帯端末３０の最新の位置との距離が閾値以下であることなどとしてもよい。
【００４６】
そして生成部５６は、１以上の携帯端末３０が存在する場合、当該１以上の携帯端末３０それぞれについて、再生端末位置情報と携帯端末情報とを用いて、再生端末１０の位置と当該携帯端末３０の位置とが所定関係を満たす日時を特定するとともに、再生日時情報を用いて特定した日時に再生されたコンテンツを特定して、当該携帯端末３０を所持するユーザのコンテンツ視聴履歴を生成する。
【００４７】
なお生成部５６は、携帯端末位置情報取得部５３により新たな携帯端末位置情報が取得された場合、又は再生端末１０でのコンテンツの再生が終了した場合に、１以上のユーザのコンテンツ視聴履歴を生成する。
【００４８】
図８は、本実施形態のコンテンツ視聴履歴生成手法の一例の説明図である。図８に示す例では、再生端末１０の位置と携帯端末３０ａ、３０ｂの最新の位置とが一致するため、携帯端末３０ａ、３０ｂが１以上の携帯端末３０となっている。そして、携帯端末３０ａについては、１０：０５〜１０：１５までの間、再生端末１０の位置と携帯端末３０ａの位置とが一致するため、携帯端末３０ａを所持するユーザが、１０：０５〜１０：１５の間、再生端末１０により再生されたコンテンツＡを視聴したとのコンテンツ視聴履歴が生成されている。また、携帯端末３０ｂについては、１０：３５〜１１：００までの間、再生端末１０の位置と携帯端末３０ｂの位置とが一致するため、携帯端末３０ｂを所持するユーザが、１０：３５〜１１：００の間、再生端末１０により再生されたコンテンツＣを視聴したとのコンテンツ視聴履歴が生成されている。
【００４９】
決定部５７は、生成部５６により生成された１以上のコンテンツ視聴履歴に基づいて、再生端末１０に再生させる再生対象コンテンツを決定する。具体的には、決定部５７は、１以上のコンテンツ視聴履歴を用いて、１以上のユーザのいずれにも視聴されていないコンテンツを再生対象コンテンツに決定する。
【００５０】
例えば、図８に示す例の場合、携帯端末３０ａを所持するユーザは、コンテンツＡを視聴しており、携帯端末３０ｂを所持するユーザは、コンテンツＣを視聴しているため、決定部５７は、いずれのいずれにも視聴されていないコンテンツＢを再生対象コンテンツに決定する。
【００５１】
配信部５８は、決定部５７により決定された再生対象コンテンツを再生端末１０に配信する。
【００５２】
ここで、再生端末１０の説明に戻り、コンテンツ取得部１２及び再生部１３について説明する。
【００５３】
コンテンツ取得部１２は、コンテンツ配信システム２０から配信された再生対象コンテンツを取得する。
【００５４】
再生部１３は、コンテンツ取得部１２により取得された再生対象コンテンツを再生する。
【００５５】
図９は、本実施形態のコンテンツ再生システム１で実行されるコンテンツ再生処理の一例を示すシーケンス図である。
【００５６】
まず、通信端末４０の位置情報通信部４２は、位置情報記憶部４１に記憶されている位置情報を無線信号により所定範囲に連続的又は断続的に送信する（ステップＳ１０１）。
【００５７】
続いて、携帯端末３０の携帯端末位置情報通信部３１は、所定範囲に位置する通信端末４０から位置情報を受信し、受信した位置情報に、図示せぬ記憶部に記憶されているデバイスＩＤやＭＡＣアドレスなどの自機の端末識別情報を当該位置情報に付加して携帯端末位置情報を生成し、コンテンツ配信システム２０に送信するため、当該通信端末４０に送信する（ステップＳ１０３）。
【００５８】
続いて、通信端末４０の位置情報通信部４２は、携帯端末位置情報をゲートウェイ５０に転送し（ステップＳ１０５）、ゲートウェイ５０は、携帯端末位置情報をコンテンツ配信システム２０に転送する（ステップＳ１０７）。
【００５９】
続いて、コンテンツ配信システム２０の携帯端末位置情報取得部５３は、携帯端末３０から、通信装置４０、ゲートウェイ５０を介して携帯端末位置情報を取得し、取得した携帯端末位置情報に当該携帯端末位置情報の取得日時を示す取得日時情報を対応付けた携帯端末情報を携帯端末情報記憶部５４に記憶する（ステップＳ１０９）。
【００６０】
続いて、コンテンツ配信システム２０の生成部５６は、再生端末位置情報と複数の携帯端末情報とを用いて、再生端末１０の位置と携帯端末３０の最新の位置とが一致する１以上の携帯端末３０が存在するか否かを判定することで、再生端末１０の近傍に位置する携帯端末３０を抽出する（ステップＳ１１１）。
【００６１】
続いて、生成部５６は、再生端末１０の近傍に位置する携帯端末３０それぞれについて、再生端末位置情報と携帯端末情報とを用いて、再生端末１０の位置と当該携帯端末３０の位置とが一致する日時を特定するとともに、再生日時情報を用いて特定した日時に再生されたコンテンツを特定して、再生端末１０の近傍に位置する携帯端末３０を所持するユーザのコンテンツ視聴履歴を生成する（ステップＳ１１３）。
【００６２】
続いて、決定部５７は、生成部５６により生成された１以上のコンテンツ視聴履歴を用いて、再生端末１０の近傍に位置する携帯端末３０を所持するユーザのいずれにも視聴されていないコンテンツを再生対象コンテンツに決定する（ステップＳ１１５）。
【００６３】
続いて、配信部５８は、決定部５７により決定された再生対象コンテンツを再生端末１０に配信する（ステップＳ１１７）。
【００６４】
続いて、再生端末１０の再生部１３は、配信された再生対象コンテンツを再生する（ステップＳ１１９）。
【００６５】
図１０は、本実施形態のコンテンツ配信システム２０で実行されるコンテンツ視聴履歴生成処理及び再生対象コンテンツ決定処理の一例を示すフローチャート図である。
【００６６】
まず、生成部５６は、再生端末位置情報と複数の携帯端末情報とを用いて、再生端末１０の位置と携帯端末３０の最新の位置とが所定関係を満たす１以上の携帯端末３０が存在するか否かを判定する（ステップＳ２０１）。
【００６７】
１以上の携帯端末３０が存在する場合（ステップＳ２０１でＹｅｓ）、生成部５６は、当該１以上の携帯端末３０それぞれについて、再生端末位置情報と携帯端末情報とを用いて、再生端末１０の位置と当該携帯端末３０の位置とが所定関係を満たす日時を特定するとともに、再生日時情報を用いて特定した日時に再生されたコンテンツを特定して、当該携帯端末３０を所持するユーザのコンテンツ視聴履歴を生成する（ステップＳ２０３）。
【００６８】
続いて、決定部５７は、１以上のコンテンツ視聴履歴を用いて、１以上のユーザにコンテンツが視聴されているか否かを確認する（ステップＳ２０５）。
【００６９】
コンテンツが視聴されている場合（ステップＳ２０５でＹｅｓ）、決定部５７は、１以上のコンテンツ視聴履歴を用いて、１以上のユーザのいずれにも視聴されていないコンテンツを再生対象コンテンツに決定する（ステップＳ２０７）。
【００７０】
一方、１以上の携帯端末３０が存在しない場合（ステップＳ２０１でＮｏ）、コンテンツが視聴されていない場合（ステップＳ２０５でＮｏ）、決定部５７は、スケジュール等で予め定められたコンテンツを再生対象コンテンツに決定する（ステップＳ２０９）。
【００７１】
以上のように本実施形態によれば、再生端末１０の近傍に位置する携帯端末３０を所持するユーザのコンテンツ視聴履歴に基づいて、いずれのユーザも視聴していないコンテンツを再生対象コンテンツに決定するため、コンテンツの内容を重複させずに複数のユーザに視聴させることができる。
【００７２】
（変形例）
なお、本発明は、上記各実施形態に限定されるものではなく、種々の変形が可能である。
【００７３】
（変形例１）
例えば上記実施形態において、決定部５７は、１以上のユーザのいずれにも視聴されていないコンテンツが存在しない場合、１以上のコンテンツ視聴履歴を用いて、１以上のユーザのうち視聴したユーザが最も少ないコンテンツを再生対象コンテンツに決定するようにしてもよい。
【００７４】
図１１は、変形例１のコンテンツ配信システム２０で実行されるコンテンツ視聴履歴生成処理及び再生対象コンテンツ決定処理の一例を示すフローチャート図である。
【００７５】
ステップＳ３０１〜Ｓ３０５までの処理は、図１０に示すフローチャート図のステップＳ２０１〜Ｓ２０５までの処理と同様であるため、説明を省略する。
【００７６】
コンテンツが視聴されている場合（ステップＳ３０５でＹｅｓ）、決定部５７は、１以上のコンテンツ視聴履歴を用いて、１以上のユーザのいずれにも視聴されていないコンテンツがあるか否かを確認する（ステップＳ３０６）。
【００７７】
１以上のユーザのいずれにも視聴されていないコンテンツがある場合（ステップＳ３０６でＹｅｓ）、決定部５７は、当該コンテンツを再生対象コンテンツに決定する（ステップＳ３０７）。
【００７８】
一方、１以上のユーザのいずれにも視聴されていないコンテンツがない場合（ステップＳ３０６でＮｏ）、決定部５７は、１以上のコンテンツ視聴履歴を用いて、１以上のユーザのうち視聴したユーザが最も少ないコンテンツを再生対象コンテンツに決定する（ステップＳ３０８）。
【００７９】
以降のステップＳ３０９の処理は、図１０に示すフローチャート図のステップＳ２０９の処理と同様であるため、説明を省略する。
【００８０】
このようにすれば、できるだけ多くのユーザにコンテンツの内容を重複させずに視聴させることができる。
【００８１】
（変形例２）
例えば上記実施形態において、決定部５７は、１以上のユーザのいずれにも視聴されていないコンテンツが存在しない場合、１以上のコンテンツに予め設定された優先度を用いて、当該優先度が最も高いコンテンツを再生対象コンテンツに決定するようにしてもよい。この場合、優先度は、コンテンツ再生システム１の管理者等によって設定される。
【００８２】
図１２は、変形例２のコンテンツ配信システム２０で実行されるコンテンツ視聴履歴生成処理及び再生対象コンテンツ決定処理の一例を示すフローチャート図である。
【００８３】
ステップＳ４０１〜Ｓ４０５までの処理は、図１０に示すフローチャート図のステップＳ２０１〜Ｓ２０５までの処理と同様であるため、説明を省略する。
【００８４】
コンテンツが視聴されている場合（ステップＳ４０５でＹｅｓ）、決定部５７は、１以上のコンテンツ視聴履歴を用いて、１以上のユーザのいずれにも視聴されていないコンテンツがあるか否かを確認する（ステップＳ４０６）。
【００８５】
１以上のユーザのいずれにも視聴されていないコンテンツがある場合（ステップＳ４０６でＹｅｓ）、決定部５７は、当該コンテンツを再生対象コンテンツに決定する（ステップＳ４０７）。
【００８６】
一方、１以上のユーザのいずれにも視聴されていないコンテンツがない場合（ステップＳ４０６でＮｏ）、決定部５７は、１以上のコンテンツに予め設定された優先度を用いて、当該優先度が最も高いコンテンツを再生対象コンテンツに決定する（ステップＳ４０８）。
【００８７】
以降のステップＳ４０９の処理は、図１０に示すフローチャート図のステップＳ２０９の処理と同様であるため、説明を省略する。
【００８８】
このようにすれば、一部のユーザにコンテンツの内容を重複して視聴させざるを得ない場合に、コンテンツ再生システム１の管理者が視聴させたいコンテンツを優先して視聴させることができる。
【００８９】
（変形例３）
例えば上記実施形態において、決定部５７は、１以上のコンテンツ視聴履歴を用いて、１以上のユーザのいずれにも視聴されていない箇所が存在するコンテンツを再生対象コンテンツに決定するとともに、当該箇所を再生対象位置に決定し、配信部５８は、再生対象コンテンツを再生対象位置から再生端末１０に再生させるように、当該再生対象コンテンツの箇所を再生端末１０に配信するようにしてもよい。
【００９０】
このように、再生対象コンテンツの再生位置は、スタート位置だけでなく、コンテンツの途中の位置としてもよい。
【００９１】
（ハードウェア構成）
図１３は、上記実施形態及び各変形例のコンテンツ配信システム２０のハードウェア構成の一例を示す図である。図１３に示すように、上記実施形態及び各変形例のコンテンツ配信システム２０は、コンテンツ配信システム２０を制御するＣＰＵ１２０１と、ＣＰＵ１２０１が実行するプログラムやプログラムの実行に必要なデータを記憶するＲＯＭ１２０２と、ＣＰＵ１２０１のワークエリア等を構成するＲＡＭ１２０３と、コンテンツ等のデータを記憶するＨＤＤ１２０４と、各種情報を表示する表示部１２０５と、近距離無線通信方式（例えば、ＺｉｇＢｅｅ）で通信を行う第１通信部１２０６と、各種入力を行う入力部１２０７と、無線ＬＡＮや携帯電話通信網を通じて通信を行う第２通信部１２０８とを、備える。
【００９２】
上記実施形態及び各変形例のコンテンツ配信システム２０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００９３】
また、上記実施形態及び各変形例のコンテンツ配信システム２０で実行されるプログラムを、インターネット等のネットワークに接続されたコンピュータ上に格納し、ネットワーク経由でダウンロードさせることにより提供するようにしてもよい。また、上記実施形態及び各変形例のコンテンツ配信システム２０で実行されるプログラムを、インターネット等のネットワーク経由で提供または配布するようにしてもよい。また、上記実施形態及び各変形例のコンテンツ配信システム２０で実行されるプログラムを、ＲＯＭ等に予め組み込んで提供するようにしてもよい。
【００９４】
上記実施形態及び各変形例のコンテンツ配信システム２０で実行されるプログラムは、上述した各部をコンピュータ上で実現させるためのモジュール構成となっている。実際のハードウェアとしては、ＣＰＵ１２０１がＲＯＭ１２０２からプログラムをＲＡＭ１２０３上に読み出して実行することにより、上記各部がコンピュータ上で実現されるようになっている。
【００９５】
図１４は、上記実施形態及び各変形例の再生端末１０のハードウェア構成の一例を示す図である。図１４に示すように、上記実施形態及び各変形例の再生端末１０は、再生端末１０を制御するＣＰＵ１１０１と、ＣＰＵ１１０１が実行するプログラムやプログラムの実行に必要なデータを記憶するＲＯＭ１１０２と、ＣＰＵ１１０１のワークエリア等を構成するＲＡＭ１１０３と、コンテンツ等のデータを記憶するＨＤＤ１１０４と、各種情報を表示する表示部１１０５と、近距離無線通信方式（例えば、ＺｉｇＢｅｅ）で通信を行う第１通信部１１０６と、測位情報（位置情報）を通信する測位情報通信部１１０７と、無線ＬＡＮや携帯電話通信網を通じて通信を行う第２通信部１１０８とを、備える。
【００９６】
図１５は、上記実施形態及び各変形例の携帯端末３０のハードウェア構成の一例を示す図である。図１５に示すように、上記実施形態及び各変形例の携帯端末３０は、携帯端末３０を制御するＣＰＵ１３０１と、ＣＰＵ１３０１が実行するプログラムやプログラムの実行に必要なデータを記憶するＲＯＭ１３０２と、ＣＰＵ１３０１のワークエリア等を構成するＲＡＭ１３０３と、コンテンツ等のデータを記憶するＨＤＤ１３０４と、各種情報を表示する表示部１３０５と、近距離無線通信方式（例えば、ＺｉｇＢｅｅ）で通信を行う第１通信部１３０６と、測位情報（位置情報）を通信する測位情報通信部１３０７と、無線ＬＡＮや携帯電話通信網を通じて通信を行う第２通信部１３０８とを、備える。
【００９７】
図１６は、上記実施形態及び各変形例の通信端末４０のハードウェア構成の一例を示す図である。図１６に示すように、上記実施形態及び各変形例の通信端末４０は、通信端末４０を制御するＣＰＵ１４０１と、ＣＰＵ１４０１が実行するプログラムやプログラムの実行に必要なデータを記憶するＲＯＭ１４０２と、ＣＰＵ１４０１のワークエリア等を構成するＲＡＭ１４０３と、近距離無線通信方式（例えば、ＺｉｇＢｅｅ）で通信を行う通信部１４０４と、測位情報（位置情報）を通信する測位情報通信部１４０５とを、備える。
【００９８】
図１７は、上記実施形態及び各変形例のゲートウェイ５０のハードウェア構成の一例を示す図である。図１７に示すように、上記実施形態及び各変形例のゲートウェイ５０は、ゲートウェイ５０を制御するＣＰＵ１５０１と、ＣＰＵ１５０１が実行するプログラムやプログラムの実行に必要なデータを記憶するＲＯＭ１５０２と、ＣＰＵ１５０１のワークエリア等を構成するＲＡＭ１５０３と、近距離無線通信方式（例えば、ＺｉｇＢｅｅ）で通信を行う第１通信部１５０４と、無線ＬＡＮや携帯電話通信網を通じて通信を行う第２通信部１５０５とを、備える。
【符号の説明】
【００９９】
１  コンテンツ再生システム
１０  再生端末
１１  再生端末位置情報通信部
１２  コンテンツ取得部
１３  再生部
２０  コンテンツ配信システム
３０ａ〜３０ｎ（３０）  携帯端末
３１  携帯端末位置情報通信部
４０ａ〜４０ｎ（４０）  通信端末
４１  位置情報記憶部
４２  位置情報通信部
５０  ゲートウェイ
５１  再生端末位置情報取得部
５２  再生端末情報記憶部
５３  携帯端末位置情報取得部
５４  携帯端末情報記憶部
５５  再生日時情報記憶部
５６  生成部
５７  決定部
５８  配信部
【先行技術文献】
【特許文献】
【０１００】
【特許文献１】特開２０１１−０８６２１３号公報
【図１】
2015050486.tif 000003
【図２】
2015050486.tif 000004
【図３】
2015050486.tif 000005
【図４】
2015050486.tif 000006
【図５】
2015050486.tif 000007
【図６】
2015050486.tif 000008
【図７】
2015050486.tif 000009
【図８】
2015050486.tif 000010
【図９】
2015050486.tif 000011
【図１０】
2015050486.tif 000012
【図１１】
2015050486.tif 000013
【図１２】
2015050486.tif 000014
【図１３】
2015050486.tif 000015
【図１４】
2015050486.tif 000016
【図１５】
2015050486.tif 000017
【図１６】
2015050486.tif 000018
【図１７】
2015050486.tif 000019